(57)【要約】  電子番組ガイドを管理する技術が説明される。装置は、ダイナミックスケーリンググリッドを有する電子番組ガイドを表示するディスプレイを含んでいてもよい。この装置は、ディスプレイに結合されたメディア処理デバイスを含んでいてもよい。メディア処理デバイスは、プロセッサ及びプロセッサにより実行される電子番組ガイド管理モジュールを含んでいてもよい。電子番組ガイド管理モジュールはディスプレイ上のダイナミックスケーリンググリッドを管理してもよい。ダイナミックスケーリンググリッドは番組項目を保有するコンテンツセルを含み、第１の付随したメタデータ・セットを表示してもよく、コンテンツセルは選択されたときに拡大され、番組項目についての第２の付随したメタデータ・セットを表示する。他の実施形態が説明され、特許請求の範囲に記載されている。
2009542158.tif 000002
【特許請求の範囲】
【請求項１】
機械可読格納媒体を有するものであって、
前記機械可読格納媒体は、実行された場合に、システムが、各々が項目を有するコンテンツセルを伴う電子番組ガイドを生成し、各コンテンツセルに各項目についての第１のメタデータ・セットを表示し、前記コンテンツセルの１つを選択し、前記選択されたコンテンツセルのサイズを拡大し、前記拡大されたコンテンツセルに項目についての第２のメタデータ・セットを表示することを可能にする命令を含むことを特徴とするもの。
【請求項２】
実行された場合に、前記システムが、前記選択されたコンテンツセルと同一の行内の別のコンテンツセルのサイズを拡大し、前記別のコンテンツセルから少なくとも１つの項目についての第２のメタデータ・セットを表示することを可能にする命令をさらに含むことを特徴とする請求項１に記載のもの。
【請求項３】
実行された場合に、前記システムが、前記拡大されたコンテンツセルに隣接する前記コンテンツセルの内の少なくとも１つのサイズを縮小することを可能にする命令をさらに含むことを特徴とする請求項１に記載のもの。
【請求項４】
実行された場合に、前記システムが、前記コンテンツセルの内の少なくとも１つについてのフォントサイズを調整することを可能にする命令をさらに含むことを特徴とする請求項１に記載のもの。
【請求項５】
実行された場合に、前記システムが、垂直軸に沿って高さを増大させるか、水平軸に沿って幅を増大させるか、または垂直軸に沿って高さを増大させ且つ水平軸に沿って幅を増大させることによって、前記拡大されたコンテンツセルの前記サイズを拡大することを可能にする命令をさらに含むことを特徴とする請求項１に記載のもの。
【請求項６】
実行された場合に、前記システムが、前記拡大されたコンテンツセルと同一の列又は行内の全てのコンテンツセルのサイズを拡大することを可能にする命令をさらに含むことを特徴とする請求項１に記載のもの。
【請求項７】
実行された場合に、前記システムが、前記第２のメタデータ・セットの情報量に基づいて、前記拡大されたコンテンツセルの前記サイズを拡大することを可能にする命令をさらに含むことを特徴とする請求項１に記載のもの。
【請求項８】
前記機械可読格納媒体は、処理デバイス、コンピュータ可読記憶媒体、通信媒体、又は伝搬信号を含むことを特徴とする請求項１に記載のもの。
【請求項９】
項目を保有するコンテンツセルを有する電子番組ガイドを生成するステップと、
各コンテンツセルに各項目についての第１のメタデータ・セットを表示するステップと、
前記コンテンツセルの１つを選択するステップと、
前記選択されたコンテンツセルのサイズを拡大するステップと、
前記拡大されたコンテンツセルに項目についての第２のメタデータ・セットを表示するステップと、
を含むことを特徴とする方法。
【請求項１０】
前記拡大されたコンテンツセルに隣接する前記コンテンツセルの内の少なくとも１つのサイズを縮小するステップを含むことを特徴とする請求項９に記載の方法。
【請求項１１】
前記コンテンツセルの内の少なくとも１つのフォントサイズを調整するステップを含むことを特徴とする請求項９に記載の方法。
【請求項１２】
垂直軸に沿って高さを増大させるか、水平軸に沿って幅を増大させるか、または垂直軸に沿って高さを増大させ且つ水平軸に沿って幅を増大させることによって、前記拡大されたコンテンツセルの前記サイズを拡大するステップを含むことを特徴とする請求項９に記載の方法。
【請求項１３】
前記拡大されたコンテンツセルと同一の列又は行内の全てのコンテンツセルのサイズを拡大するステップを含むことを特徴とする請求項９に記載の方法。
【請求項１４】
前記第２のメタデータ・セットの情報量に基づいて前記拡大されたコンテンツセルの前記サイズを拡大するステップを含むことを特徴とする請求項９に記載の方法。
【請求項１５】
前記第１のメタデータ・セットは番組名を含み、前記第２のメタデータ・セットはエピソードタイトル、あらすじ、及び時間帯を含むことを特徴とする請求項９に記載の方法。
【請求項１６】
前記第２のメタデータ・セットは、前記第１のメタデータ・セットよりも多い情報量を有することを特徴とする請求項９に記載の方法。
【請求項１７】
ダイナミックスケーリンググリッドを有する電子番組ガイドを表示するディスプレイ（１１０）と、
前記ディスプレイに結合されたメディア処理デバイス（１０６）と、
を含む装置であって、
前記メディア処理デバイスは、
プロセッサ（２０２）と、
前記プロセッサにより実行される電子番組ガイド管理モジュール（２０８）と、
を有し、
前記電子番組ガイド管理モジュールは前記ディスプレイ上の前記ダイナミックスケーリンググリッドを管理し、前記ダイナミックスケーリンググリッドは番組項目を保有するコンテンツセルを有し、第１の付随したメタデータ・セットを表示し、前記コンテンツセルは選択されたときに拡大し、前記番組項目についての第２の付随したメタデータ・セットを表示することを特徴する装置。
【請求項１８】
コンテンツセルを選択するユーザ命令を受信する受信器を含むことを特徴とする請求項１７に記載の装置。
【請求項１９】
前記電子番組ガイド管理モジュールは拡大されたコンテンツセルに隣接するコンテンツセルを縮小することを特徴とする請求項１７に記載の装置。
【請求項２０】
前記電子番組ガイド管理モジュールは選択されたコンテンツセル及び前記選択されたコンテンツセルと同一の行内の全てのコンテンツセルについての高さを拡大することを特徴とする請求項１７に記載の装置。
【発明の詳細な説明】
【技術分野】
【０００１】
本発明は、電子番組ガイドを管理する方法及び装置に関する。
【背景技術】
【０００２】
デジタル放送の出現により、ユーザアクセスを比較的多数の番組チャンネルに与えるマルチチャンネル放送環境が形成された。幾つかの場合には、番組チャンネルは、数千のチャンネルとまではいかなくても数百のチャンネルに達するかもしれない。番組チャンネルの増加に伴い、チャンネルに付随した情報量が増大している。例えば、各番組チャンネルは、番組概要、俳優、及び評価情報（視聴率）等の番組情報を有し、表示してもよい。
【０００３】
電子番組ガイドは、上記のような多数の番組チャンネル及び付随した情報を管理及び検索するために開発された。
【発明の開示】
【発明が解決しようとする課題】
【０００４】
しかしながら、典型的には、電子番組ガイドは、解像度を犠牲にして検索を容易にするか、検索を犠牲にして解像度を良くして多くの情報を表示する必要がある。どちらの場合においても、ユーザは、電子番組ガイドを検索し、興味のある番組を迅速に識別することの困難さを有するだろう。よって、上記の問題及びその他の問題を解決する改良された電子番組ガイド技術が必要であると考えられる。
【課題を解決するための手段】
【０００５】
この発明の開示は、以下の発明を実施するための最良の形態においてさらに説明される選択されたコンセプトを簡略化した形態で紹介するために設けられている。この発明の開示は、特許請求の範囲に記載されたものの要所となる特徴又は必須の特徴を明らかにするようには意図されておらず、特許請求の範囲に記載されたものの範囲を限定するのに使用されることを意図していない。
【０００６】
様々な実施形態は、メディアシステムのための電子番組ガイドに関する。ある実施形態において、例えば、装置は、ダイナミックスケーリンググリッド（dynamic scaling grid）として実装された電子番組ガイドを表示するディスプレイデバイスを含んでいてもよい。メディア処理デバイスがディスプレイに結合されていてもよく、当該メディア処理デバイスは、例えば、セットトップボックス、メディアセンタ（media center）、メディアサーバ、及びコンピュータ等である。メディア処理デバイスは、プロセッサ及び電子番組ガイド管理モジュールを含んでいてもよい。電子番組ガイド管理モジュールはディスプレイ上のダイナミックスケーリンググリッドを管理してもよい。ダイナミックスケーリンググリッドは格子状に複数のコンテンツセルを含んでいてもよい。各コンテンツセルは番組項目を保有し、当該番組項目に付随した第１のメタデータ・セットを表示してもよい。コンテンツセルが、例えば、リモートコントローラ又はその他のヒューマン入力デバイス（ＨＩＤ）を介してユーザにより選択されると、電子番組ガイド管理モジュールは選択されたコンテンツセルを拡大し、選択されたコンテンツセルにより保有されていた番組項目についての第２の付随したメタデータ・セットを表示してもよい。電子番組ガイドは周りの又は隣接するコンテンツセルのサイズを調整し、拡大されたコンテンツセルの新しいサイズに対応するようにしてもよい。これにより、ユーザが選択するかもしれない別の番組項目を見ることを可能にしつつ、ユーザが興味のある番組項目についてより多くの情報にアクセスすることを可能にする。
【０００７】
幾つかの実施形態において、スクリーン上の他の場所に余分なメタデータを有する代わりに、情報の増加分はフォーカスを当てられたエリアに保有される。これは、ある中心位置に視聴者のフォーカスを保つことにより閲覧及び検索エクスペリエンスをより容易にし、当該ある中心位置は、当該中心位置を囲む別の関係のない情報を有している。別の特徴は行の全体が垂直方向に増大し、我々がチャンネル及び同一のチャンネルにおけるほぼ隣接した別の番組に関係した視聴者のフォーカスに対して更なる情報を加えることができることである。別の実施形態も説明され、特許請求の範囲に記載される。
【発明を実施するための最良の形態】
【０００８】
様々な実施形態は、メディアシステムのための電子番組ガイドに関する。特に、様々な実施形態は、番組と付随したメタデータとの間の関係を管理するダイナミックスケーリング技術に関する。ダイナミックスケーリング技術はダイナミックスケーリンググリッドの形態で電子番組ガイドを形成する。ダイナミックスケーリンググリッドにおける各コンテンツセルは、拡大縮小自在であり、フォーカスが当てられている間、それ自体のメタデータを含むように増大してもよい。メタデータの例は、サムネイル、タイトル、あらすじ、ジャンル、キーワード、関連資料、クレジットリスト、俳優、評価情報（視聴率）、ハイパーリンク、及び別の所望の情報を含んでいてもよい。番組項目を提示しているセルが元々狭すぎるといった極端な例では、当該セルは垂直軸方向及び水平軸方向に伸ばされ、関連情報に対応する。ダイナミックスケーリング技術は、コンテンツセルが増大し且つブランド設定要素及び宣伝要素を含むコンテンツプロバイダ情報を有することを容易にする。さらに、拡大されたコンテンツセルを有するすべての行及び／又は列は、コンテンツセルと同じように増大してもよい。行及び／又は列の全体の増大は、例えば、ブランド設定及び宣伝情報のような別のメタデータを表示する機会を提供する。このように、ユーザは、ダイナミックスケーリンググリッドにおける別の番組項目のための所望の表示解像度及び表示エリアを維持しつつ、電子番組ガイドを検索し、興味のある番組項目をより詳しく調べることができる。
【０００９】
ダイナミックスケーリンググリッドを用いる電子番組ガイドを実装することは、従来の技術に優る幾つかの利点を提供する。例えば、制限された（例えば、約１０フィート（約３ｍ））表示及び対話（interaction）のために、使用に便利であり且つ見て美しいガイドインターフェイスを設計することは、エンターテイメント産業全体における挑戦である。番組コンテンツ、付随したメタデータ、及び関連したブランド設定コンテンツの全ては、同一のスペースを奪い合う。ダイナミックスケーリンググリッドにより、この情報の全ては、視聴者のフォーカスに基づいて優先順位付けされること又は強調されることが可能になり、フォーカスを合わせるエクスペリエンス（in-focus experience）はリッチネス（情報の量）（richness）について最適化され、フォーカスを外したエクスペリエンス（out-of-focus experience）は、読みやすさを残し且つ所定の１組のデザイン目標を保ちつつ、グリッドの前後内に表示される閲覧物（例えば、メタデータの複数の小さな断片）について最適化される。別の例においては、ネットワークプロバイダ及びユーザは、情報密度と使い易さとの間で取り交わされるバランスからの恩恵を受ける。これは、従来の電子番組ガイドにおいて見られないバランスである。ユーザエクスペリエンスデザインは、パートナーが利用したいと思い、プロバイダが導入したいと思い、ユーザが楽しみたいと思うより魅力的なプラットフォームを形成する。ダイナミックスケーリンググリッドは、現状のデザイン目標及び今後の拡張及び改良のためにメタデータの様々な量を統合する柔軟性を提供する。
【００１０】
図１は、メディアシステム１００のブロック図である。メディアシステム１００は、様々な実施形態を実施するのに適した典型的なシステムアーキテクチャを示している。メディアシステム１００は複数の要素を含んでいてもよい。要素は、所定の動作を行うように設けられた任意の物理構造又は論理構造を含んでいてもよい。各要素は、所定の１組の設計パラメータ又は性能制約のために所望されるように、ハードウェア、ソフトウェア、又はハードウェアとソフトウェアを組み合わせたものとして設けられてもよい。ハードウェア要素の例は、デバイス、部品、プロセッサ、マイクロプロセッサ、回路、回路要素（例えば、トランジスタ、抵抗、キャパシタ、及びインダクタンス等）、集積回路、特定用途向け集積回路（ＡＳＩＣ）、プログラム可能論理回路（ＰＬＤ）、デジタル信号プロセッサ（ＤＳＰ）、フィールドプログラマブルゲートアレイ（ＦＰＧＡ）、メモリユニット、論理ゲート、レジスタ、半導体デバイス、チップ、マイクロチップ、及びチップセット等を含んでいてもよい。ソフトウェアの例は、ソフトウェアコンポーネント、プログラム、アプリケーション、コンピュータプログラム、アプリケーションプログラム、システムプログラム、機械プログラム、オペレーティングシステムソフトウェア、ミドルウェア、ファームウェア、ソフトウェアモジュール、ルーチン、サブルーチン、ファンクション、メソッド、インターフェイス、ソフトウェアインターフェイス、アプリケーションプログラムインターフェイス（ＡＰＩ）、命令セット、計算コード、コンピュータコード、コードセグメント、コンピュータコードセグメント、ワード、値、シンボル、又はこれらの組み合わせを含んでいてもよい。図１に示したメディアシステム１００は、ある形態において、制限された数の要素を有しているが、メディアシステム１００は所定の実装のために望まれる別の形態において、より多い又はより少ない要素を含んでいてもよい。実施形態は上記の点において限定されない。
【００１１】
様々な実施形態において、メディアシステム１００は、メディア情報及び制御情報のような異なる種類の情報を送信するか、管理するか、処理するために設けられてもよい。メディア情報の例は、ユーザのためのコンテンツを表す任意のデータを含んでいてもよく、当該データは、例えば、音声情報、ビデオ情報、オーディオ情報、画像情報、文字情報、数値情報、英数字記号、及び図形等である。制御情報は、自動化システムのためのコマンド、命令、又は制御ワードを表すデータを意味していてもよい。例えば、制御情報は、メディア情報をシステムを介してルーティングするため、デバイス同士の間の接続を確立するため、及びデバイスに予め決められたようにメディア情報を処理するように指示するために使用されてもよい。
【００１２】
様々な実施形態において、メディアシステム１００はメディアソース１０２−１〜１０２−ｎを含んでいてもよい。メディアソース１０２−１〜１０２−ｎは、メディア情報（例えば、デジタルビデオ信号及びオーディオ信号等）及び／又は制御情報を手に入れるか、それをメディア処理デバイス１０６に送信することができる物理エンティティ又は論理エンティティを含んでいてもよい。メディアソース１０２−１〜１０２−ｎの例は、ＤＶＤデバイス、ＶＨＳデバイス、デジタルＶＨＳデバイス、パーソナルビデオレコーダ（ＰＶＲ）、デジタルビデオレコーダ（ＤＶＲ）、コンピュータ、ゲーム機、ＣＤプレーヤ、デジタルカメラ、及びデジタルカムコーダ等を含んでいてもよい。メディアソース１０２−１〜１０２−ｎのその他の例は、放送又はストリーミングのアナログ又はデジタルメディア情報をメディア処理デバイス１０６に提供するメディア分配システムを含んでいてもよい。メディア分配システムの例は、例えば、無線（ＯＴＡ）放送システム、地上波ケーブルシステム（ＣＡＴＶ）、衛星放送システム、及びインターネットなどのネットワークを介して送信されるメディア等を含んでいる。メディアソース１０２−１〜１０２−ｎは、所定の実装のために望まれるようにメディア処理デバイス１０６の内部又は外部にあってもよい。
【００１３】
様々な実施形態において、メディアシステム１００は処理デバイス１０６を含み、１つ以上の通信メディア１０４−１〜１０４−ｍを介して１つ以上のメディアソース１０２−１〜１０２−ｎに接続していてもよい。メディア処理デバイス１０６は、メディアソース１０２−１〜１０２−ｎから受信したメディア情報を処理するように設けられた論理エンティティ又は物理エンティティを含んでいてもよい。様々な実施形態において、メディア処理デバイス１０６は、コンピュータ、セットトップボックス（ＳＴＢ）、メディアサーバ、デスクトップコンピュータ、パーソナルコンピュータ（ＰＣ）、ラップトップコンピュータ、ハンドヘルドコンピュータ、ホームエンターテイメントシステム、及びホームシアタシステム等を含んでいてもよく、これらとして設けられてもよい。
【００１４】
様々な実施形態において、メディア処理デバイス１０６はメディア処理サブシステム１０８を含んでいてもよい。メディア処理サブシステム１０８は、メディアソース１０２−１〜１０２−ｎから受信したメディア情報を処理するように設けられたプロセッサ、メモリ、並びにアプリケーションハードウェア及び／又はソフトウェアを含んでいてもよい。例えば、メディア処理サブシステム１０８は、様々な管理動作を行うように設けられてもよく、当該様々な管理動作は、例えば、メディア情報を受信すること、メディア情報を記憶すること、メディア情報を記録すること、メディア情報を再生すること、メディア情報についてトリックモード動作を行うこと、及びメディア情報について検索動作を行うこと等である。メディア処理サブシステム１０８は、処理したメディア情報をディスプレイ１１０に出力してもよい。ディスプレイ１１０はメディアソース１０２−１〜１０２−ｎから受信したメディア情報を表示可能な任意のディスプレイであってもよい。
【００１５】
図２はメディア処理デバイス１０６のより詳しいブロック図を示す。当該メディア処理デバイス１０６の最も基本的な構成においては、典型的には、メディア処理デバイス１０６は、少なくとも１つの処理ユニット２０２とメモリ２０４とを含んでいる。処理ユニット２０２はソフトウェアを実行可能な任意の種類のプロセッサであってもよく、当該プロセッサは、例えば、汎用プロセッサ、専用プロセッサ、メディアプロセッサ、コントローラ、マイクロコントローラ、組み込みプロセッサ、及びデジタル信号プロセッサ（ＤＳＰ）等である。メモリ２０４は、データを記憶可能な機械可読メディア又はコンピュータ可読メディアを用いて設けられてもよく、揮発性メモリ及び不揮発性メモリを含んでいる。例えば、メモリ２０４は、リードオンリメモリ（ＲＯＭ）、ランダムアクセスメモリ（ＲＡＭ）、ダイナミックＲＡＭ（ＤＲＡＭ）、ダブルデータレートＤＲＡＭ（ＤＤＲＡＭ）、シンクロナスＤＲＡＭ（ＳＤＲＡＭ）、スタティックＲＡＭ（ＳＲＡＭ）、プログラマブルＲＯＭ（ＰＲＯＭ）、消去可能なプログラマブルＲＯＭ（ＥＰＲＯＭ）、電気的に消去可能なプログラマブルＲＯＭ（ＥＥＰＲＯＭ）、フラッシュメモリ、強誘電性ポリマメモリのようなポリマメモリ、オボニックメモリ、相変化メモリ若しくは強誘電性メモリ、シリコン−酸化物−窒化物−酸化物−シリコン（ＳＯＮＯＳ）メモリ、磁気カード若しくは光学カード、又は情報を記憶するのに適したその他の種類のメディアを含んでいてもよい。図１に示したように、メモリ２０４は、１つ以上のメディアアプリケーション２０６、電子番組ガイド管理モジュール（ＥＰＧＭＭ）２０８、及び付随データのような様々なソフトウェアプログラムを記憶していてもよい。
【００１６】
メディア処理デバイス１０６はデバイス１０６以上の更なる特徴及び／又は機能を有していてもよい。例えば、メディア処理デバイス１０６は、リムーバブル・ストレージ２１０及び非リムーバブル・ストレージ２１２を含んでいてもよく、当該リムーバブル・ストレージ２１０及び非リムーバブル・ストレージ２１２は、前述したような様々な種類の機械可読媒体又はコンピュータ可読媒体を含んでいてもよい。メディア処理デバイス１０６は、キーボード、マウス、ペン、音声入力デバイス、タッチ入力デバイス、リモートコントローラ、無線マウス、及びエアマウス等のような１つ以上の入力デバイス２１４を有していてもよい。ディスプレイ（例えば、ディスプレイ１１０）、スピーカ、及びプリンタ等のような１つ以上の出力デバイス２１６が同じようにメディア処理デバイス１０６に含まれていてもよい。
【００１７】
メディア処理デバイス１０６は、メディア処理デバイス１０６が別のデバイスと通信することを可能にする１つ以上の通信接続部２１８をさらに含んでいてもよい。通信接続部２１８は、様々な種類の標準的な通信要素を含んでいてもよい。当該標準的な通信要素は、例えば、１つ以上の通信インターフェイス、ネットワークインターフェイス、ネットワークインターフェイスカード（ＮＩＣ）、無線器、無線送信器／受信器（トランシーバ）、有線及び／又は無線通信媒体、並びに物理コネクタ等である。典型的には、通信媒体は、コンピュータ可読命令、データ構造、プログラムモジュール、又は他のデータを搬送波又は別の送信メカニズムのような変調データ信号として保有し、情報送達媒体を含んでいる。用語「変調データ信号」は、信号における情報を符号化するように設定又は変えられた１つ以上の特性を有する信号を意味している。例えば（これだけに限定されない）、通信媒体は、有線通信媒体及び無線通信媒体を含む。有線通信媒体の例は、ワイヤ、ケーブル、金属リード、プリント回路基板（ＰＣＢ）、バックプレーン、スイッチファブリック、半導体材料、ツイストペアワイヤ、同軸ケーブル、光ファイバ、及び搬送信号（propagated signal）等を含みうる。無線通信媒体の例は、音波、ラジオ周波数（ＲＦ）スペクトル、赤外線、及びその他の無線媒体を含みうる。本明細書において使用されるような機械可読媒体及びコンピュータ可読媒体という用語は、格納媒体及び通信媒体を含むように意図されている。
【００１８】
ある実施形態において、メディア処理デバイス１０６はシステムメモリ２０４にＥＰＧＭＭ２０８及び付随データを記憶することができる。ＥＰＧＭＭ２０８はディスプレイ１１０においてダイナミックスケーリンググリッドを管理するために設けられてもよい。ダイナミックスケーリンググリッドは格子状に複数のコンテンツセルを含んでいてもよい。各コンテンツセルは番組項目を保有し、当該番組項目に付随した第１のメタデータ・セットを表示してもよい。コンテンツセルが使用により選択されたとき、ＥＰＧＭＭ２０８は、選択されたコンテンツセルを拡大し、選択されたコンテンツセルにより保有されている番組項目についての付随した第２のメタデータ・セットを表示してもよい。ＥＰＧＭＭ２０８は周囲のコンテンツセル又は隣接するコンテンツセルのサイズを調整し、新しいサイズの拡大されたコンテンツセルに対応するようになってもよい。
【００１９】
様々な実施形態において、ダイナミックスケーリンググリッドのためのコンテンツセルは、例えば、表計算アプリケーションにおけるセルと同じように、画定された境界を有する領域を含んでいてもよい。各コンテンツセルは、所定の項目及び付随したメタデータを有するように割り当てられてもよい。項目は要約エンティティ又は１組の情報を表していてもよく、当該要約エンティティ又は１組の情報は、例えば、番組、チャンネル、放送局、時間、又はその他の種類のメディアコンテンツ若しくは情報である。番組項目の例は、テレビ番組「ロスト（Lost）」、「インベイジョン（Invasion）」、及び「ＮＣＩＳ」等の特定の番組を含んでいてもよい。チャンネル項目の例は、チャンネル２、チャンネル３、チャンネル４、及びチャンネル５等のテレビチューナにより使用される特定のチャンネル又は興味のある内容のチャンネルを含んでいてもよい。放送局項目の例は、ＡＢＣ、ＮＢＣ、ＣＢＳ、及びＦＯＸ等のようなチャンネルに割り当てられた特定の放送局を含んでいてもよい。これらは単なる項目の幾つかの例であり、所定の数の項目が所定の実装のために所望されるようにダイナミックスケーリンググリッドにより使用されてもよい。
【００２０】
１つ以上のコンテンツセルが、コンテンツセルにより表示される情報の種類に基づいて画定されてもよい。ある実施形態において、例えば、少なくとも２つの種類のコンテンツセルが存在していてもよい。第１のコンテンツセルの種類は、チャンネル項目及び付随したメタデータを有するチャンネルコンテンツセルからなってもよい。第２のコンテンツセルの種類は、番組項目及び付随したメタデータを有する番組コンテンツからなってもよい。別のコンテンツセルの種類が、所定の実装のために所望されるように別の項目について画定されてもよい。
【００２１】
様々な実施形態において、各項目は、当該項目に付随したメタデータ・セットを有していてもよい。メタデータは、別のデータを説明するデータを意味することもある。通常、メタデータ・セットは、１組のデータを説明し、リソース又は項目と称される。本明細書では、メタデータは、項目を説明するデータを意味していてもよい。メタデータは、所定の項目に付随した任意の種類の情報であってもよい。メタデータの例は、サムネイル、タイトル、番組タイトル、エピソード（毎回の放送分の）タイトル、番組のあらすじ、エピソードのあらすじ、ジャンル、キーワード、関連資料、クレジットリスト、俳優、評価情報（視聴率）、ハイパーリンク、ポータルサイト、画像、ロゴ、アニメーション、ビデオクリップ、オーディオクリップ、宣伝資料、及び広告等を含んでいてもよく、これらだけに限定されない。実施形態は、上記の点において限定されない。
【００２２】
様々な実施形態において、ＥＰＧＭＭ２０８は、コンテンツセルのサイズを拡大又は縮小させてもよく、多数の異なる方法で、メタデータにおける変化に対応できるようにしてもよい。各コンテンツセルは、高さ寸法及び幅寸法を有していてもよい。例えば、各コンテンツセルは、垂直軸すなわちｘ軸に沿った高さを有していてもよく、水平軸すなわちｙ軸に沿った幅を有していてもよい。ＥＰＧＭＭ２０８は、高さ、幅、又は場合によっては高さ及び幅の両方を調整することによりコンテンツセルを拡大してもよい。拡大又は縮小の量は、コンテンツセルにより表示されるべきメタデータの量に比例していてもよい。例えば、ＥＰＧＭＭ２０８は、第２のメタデータ・セット内に含まれる情報量に基づいてコンテンツセルを拡大してもよい。拡大及び縮小は、グリッドの現在のグリッドの形（現在見えているグリッド）において見ることができるセルの総量のような別の因子にも依存していてもよく、番組の継続時間、並びに現在のグリッドにおいて表示された時間間隔に対する番組の開始時間及び終了時間等に基づいて変えてもよい。セルサイズを調整することに加えて、ＥＰＧＭＭ２０８は１つ以上のコンテンツセルのフォントサイズを調整してもよく、例えば、拡大されたコンテンツセルにおいてフォントサイズを大きくするか、縮小されたコンテンツセルにおいてフォントサイズを小さくするか、拡大されたコンテンツセルにおいてフォントサイズを小さくするか、縮小されたコンテンツセルにおいてフォントサイズを大きくしてもよい。
【００２３】
様々な実施形態において、ＥＰＧＭＭ２０８は、選択されたコンテンツセルに基づいてダイナミックスケーリンググリッドのセルサイズを調整してもよい。ダイナミックスケーリンググリッドは、ユーザコマンドに応じて検索されてもよく、又は横断されてもよい。例えば、ユーザは、リモートコントローラ、キーボード、エアマウス、タッチスクリーン、又はその他の所望のＨＩＤを使用し、ディスプレイ１１０上においてポインタ、カーソル、又はフォーカスポイントを制御してもよい。ユーザは、例えば、ポインタに様々なコンテンツセルをスクロールさせ、興味のあるコンテンツセルを選択してもよい。様々な実施形態は例としてポインタ又はカーソルを用いて説明されてもよいが、別の技術がスクリーンの様々な要素にフォーカスをあてるのに使用されてもよい。幾つかの実施形態において、例えば、上記の制御デバイスの幾つかは、ポインタ又はカーソルの使用を必要とせず、別の技術を使用してスクリーンの様々な要素にフォーカスを動かしてもよく、これは、単に要素自体の異なるユーザインターフェイス処理である。その結果、幾つかの実施形態はポインタ又はカーソルを使用しなくてもよい。幾つかの場合において、フォーカス要素及びポインタはスクリーン上の２つの異なる位置にあってもよい。例えば、ポインタがユーザインターフェイスの選択可能な要素上になければ、フォーカスはポインタが横断した最後の要素上にあってもよい。様々な技術がダイナミックスケーリンググリッドを横断し、興味のある特定のコンテンツセルにフォーカスを当てるのに使用されてもよいが、実施形態は上記の点において限定されない。
【００２４】
ある実施形態において、例えば、ユーザは、ポインタに様々なコンテンツセルをスクロールさせ、興味のあるコンテンツセルを選択してもよい。その後、ＥＰＧＭＭ２０８は選択されたコンテンツセルのセルサイズを調整してもよい。コンテンツセルを選択することは、ポインタがコンテンツセルを単に横断して進む（rolling across）か、横断することにより受動的に行われてもよい。この場合、ＥＰＧＭＭ２０８はポインタの現状の位置に基づいてセルサイズを調整してもよい。あるいは、コンテンツセルの選択は、所望のコンテンツセル上にポインタを停止させ、ボタン、ホイール、又は別の入力デバイスを介してユーザ選択コマンドを送信することにより、能動的に行われてもよい。実施形態は上記の点において限定されない。
【００２５】
図３は、ダイナミックスケーリンググリッドの画像３００を示す。図３に示したように、画像３００は、格子状に配置された複数のコンテンツセルを含んでいる。９：００ＰＭ、９：３０ＰＭ、１０：００ＰＭ、及び１０：３０ＰＭのような時間識別子が水平軸すなわちｘ軸に沿って存在する。この実施形態においては、時間識別子はコンテンツセル内に含まれておらず、ダイナミックスケーリンググリッドの外に存在しているが、別の形態においては、同様に時間識別子（又は別の列識別子）はコンテンツセル内に表示されてもよい。チャンネルコンテンツセルの列は垂直軸すなわちｙ軸に沿って存在し、各チャンネルコンテンツセルは、チャンネル識別子及び放送局識別子若しくは放送局ロゴ（又は別の行識別子）を有し、当該チャンネル識別子及び放送局識別子若しくは放送局ロゴは、例えば、チャンネル識別子２及び放送局識別子ＮＷＣＮ、チャンネル識別子３及び放送局識別子ＫＷＰＸ、チャンネル識別子４及び放送局識別子ＫＯＭＯ、チャンネル識別子５及びＮＢＣの放送局ロゴ、チャンネル識別子６及び放送局識別子ＫＯＮＧ、並びにチャンネル識別子７及びＣＢＳの放送局ロゴである。時間識別子はｘ軸に沿って表示され、チャンネルコンテンツセルはｙ軸に沿って表示されているが、幾つかの実施形態はこの配置（mapping）を反対にしてもよく、ｘ軸に沿ってチャンネルコンテンツセルを表示し、ｙ軸に沿って時間識別子を表示してもよく、これらは、本発明の実施形態の範囲内である。
【００２６】
様々な実施形態において、ダイナミックスケーリンググリッド内のコンテンツセルの幾つかは、番組項目を保有し、当該番組項目に付随した第１のメタデータ・セットを表示してもよい。画像３００に示したように、ダイナミックスケーリンググリッドは複数の番組コンテンツセルを含んでいてもよい。各番組コンテンツセルは、当該番組コンテンツセルにより保有されている番組項目に付随したメタデータ・セットを表示してもよい。選択されていないモード又はデフォルトモードであるとき、典型的には、各番組コンテンツセルは第１のメタデータ・セットを表示する。画像３００に示したように、第１のメタデータ・セットは、例えば、「ジョーイ（Joey）」、「Ｄｒ．フィル（Dr.Phil）」、及び「ザ・アプレンティス（The Apprentice）」等の番組タイトルを含んでいてもよい。
【００２７】
しかしながら、コンテンツセルが選択されたとき、ＥＰＧＭＭ２０８は、選択されたセルを引き延ばし、又は拡大し、第２のメタデータ・セットに対応するようにしてもよい。典型的には、第２のメタデータ・セットは第１のメタデータ・セットよりも大きなメタデータ・セットを含んでいる。再び画像３００を参照すると、選択された番組コンテンツセルは、当該選択された番組コンテンツセルの周りを強調された境界又は太線で示された境界により識別されてもよい。選択されたとき、ＥＰＧＭＭ２０８は選択された番組コンテンツセルにより保有されている番組項目についてより多くのメタデータを表示してもよい。画像３００においては、選択された番組コンテンツセルは番組項目「ロスト」を保有している。選択されたとき、ＥＰＧＭＭ２０８は「ロスト」についての番組コンテンツセルを拡大し、番組「ロスト」についてのより多くのメタデータに対応するようにしてもよい。当該より多くのメタデータは、例えば、エピソードタイトル「詐欺の手口（The Long Con）」、エピソードのあらすじ、及び時間帯「９：００ＰＭ−１０：００ＰＭ」である。このように、ユーザは、ダイナミックスケーリンググリッド内のほぼ同一の位置のままで、興味のある番組項目についてのより詳しい情報を得てもよい。
【００２８】
選択されたコンテンツセルのサイズが拡大されると、ダイナミックスケーリンググリッド内の様々なコンテンツセルのセルサイズは、同じように調整されてもよい。例えば、選択された番組コンテンツセルが垂直方向に拡大されたとき、選択された番組コンテンツセルと同一の行内のコンテンツセルの一部又は全てが同じように拡大されてもよい。別の例においては、選択された番組コンテンツセルが水平方向に拡大されたとき、選択された番組コンテンツセルと同じ列内のコンテンツセルの一部又は全てが、同じように拡大されてもよい。幾つかの場合においては、拡大された番組コンテンツセルを囲むコンテンツセルは、拡大された番組コンテンツセルに隣接する又は接するセルである。さらに別の例においては、選択された番組コンテンツセルが拡大されたとき、拡大された番組コンテンツセルを囲む様々なコンテンツセルは、拡大された番組コンテンツセルの新しいサイズに対応するように縮小されてもよい。上述の調整により、グリッドコンテンツの内容（例えば、フォーカスを当てられていない番組の開始時間及び終了時間）が、第２のメタデータ・セットが表示されている間、不変又は正確なままにできる。
【００２９】
ＥＰＧＭＭ２０８が周りのコンテンツセルのサイズを選択されたコンテンツセルのサイズに調整する場合、ＥＰＧＭＭ２０８は周りのコンテンツセルのための更なるメタデータを表示し、増大された表示エリアを利用してもよい。例えば、番組項目「ロスト」についての高さを拡大することは、チャンネル番号４及び放送局識別子ＫＯＭＯのためのチャンネルコンテンツセルの高さを拡大してもよい。この結果、ＥＰＧＭＭ２０８は、ＥＰＧＭＭ２０８が「ロスト」のための番組コンテンツセルを含む行の全体を拡大したときに生成される更なる表示エリアを使用して、ＫＯＭＯの放送局ロゴ（又は、宣伝資料、広告、ビデオクリップ等）を表示してもよい。これは、文脈に関連した情報（例えば、よく知られたブランドの使用、及び魅力的なコンテンツ等）をユーザに提供し、且つ文脈型広告（例えば、番組及びポータル宣伝、及びブランド認知等）を出す機会をコンテンツプロバイダにさらに提供する。
【００３０】
図４はダイナミックスケーリンググリッドの画像４００を示す。画像３００と同様に、画像４００は、ｘ軸に沿って時間識別子を有し、ｙ軸に沿って番組コンテンツセルを有している。番組項目「ザ・ホワイトハウス（The West Wing）」を保有している番組コンテンツセルが選択されて、選択された番組コンテンツセルのための背景を異なる配色にすることにより示さている。選択された番組コンテンツセルは、水平方向及び垂直方向に拡大されており、「ザ・ホワイトハウス」についての第２のメタデータ・セットに対応するようにしてもよい。選択された番組コンテンツセルに直接隣接している番組コンテンツセルは、番組項目「ジ・オフィス（The Office）」を保有する番組コンテンツセルである。
【００３１】
図５はダイナミックスケーリンググリッドの画像５００を示す。選択された番組コンテンツセルが「ザ・ホワイトハウス」から右にシフトされ、番組項目「ジ・オフィス」を保有する番組コンテンツセルにシフトされていることを除いて、画像５００は画像４００と同じである。一度選択されると、ＥＰＧＭＭ２０８は「ジ・オフィス」について新しく選択された番組コンテンツセルのセルサイズを垂直方向及び水平方向に拡大する。同様に、ＥＰＧＭＭ２０８は、「ザ・ホワイトハウス」についての以前に選択された番組コンテンツセルの垂直方向の高さを増大させ、「ジ・オフィス」についての隣接する番組コンテンツセルの垂直方向高さの増分に合わせるが、「ザ・ホワイトハウス」について以前に表示された第２のメタデータ・セットを消去している。その結果、画像５００に示したような「ジ・オフィス」についての新しく選択された番組コンテンツセルのセルサイズは、画像４００に示したような「ジ・オフィス」についての選択されていない番組コンテンツセルに対して拡大されている。その後、ＥＰＧＭＭ２０８は、番組項目「ジ・オフィス」に付随した第２のメタデータ・セットを拡大された番組コンテンツセルに表示する。
【００３２】
図６はダイナミックスケーリンググリッドの画像６００を示す。選択された番組コンテンツセルが、「ジ・オフィス」から右にシフトされ、番組項目「ロー＆オーダ：性犯罪特捜班（Law & Order：Special Victims Unit）」を保有する番組コンテンツセルにシフトされていることを除いては、画像６００は画像５００と同様である。一度選択されると、ＥＰＧＭＭ２０８は、「ロー＆オーダ：性犯罪特捜班」について新しく選択された番組コンテンツセルのセルサイズを垂直方向及び水平方向に拡大する。ＥＰＧＭＭ２０８は、「ジ・オフィス」について以前に選択された番組コンテンツセルのセルサイズを水平方向に縮小し、「ジ・オフィス」について表示された第２のメタデータ・セットを消去する。ＥＰＧＭＭ２０８は、「ロー＆オーダ：性犯罪特捜班」について選択された番組コンテンツセルを「ロー＆オーダ：性犯罪特捜班」に付随した第２のメタデータ・セットを完全に表示するのに十分には拡大させていない。この場合、ＥＰＧＭＭ２０８はダイナミックスケーリンググリッドのための外部境界部の整合性及びサイズを維持するように設けられ、選択された番組コンテンツセルの拡大サイズにおける制限を与えている。しかしながら、別の実施形態においては、ダイナミックスケーリンググリッドのための外部境界部は、拡大されたコンテンツセルについての第２のメタデータ・セットの全体に対応するように調整されてもよい。
【００３３】
図７はダイナミックスケーリンググリッドの画像７００を示す。フォーカスが、「ロー＆オーダ：性犯罪特捜班」の上方にシフトされ、番組項目「エイリアス（Alias）」を保有する番組コンテンツセルにシフトされていることを除いては、画像７００は画像６００と同様である。ＥＰＧＭＭ２０８は、以前に選択された番組コンテンツセルについてのコンテンツセルの行の全体を第１のメタデータ・セットを表示するのに十分なセルサイズに縮小させつつ、「エイリアス」についての選択された番組コンテンツセルを垂直方向に拡大してもよい。
【００３４】
図８はダイナミックスケーリンググリッドの画像８００を示す。フォーカスが「エイリアス」から左にシフトされ、番組項目「ロスト」を保有する番組コンテンツセルにシフトされていることを除いては、画像８００は画像７００と同様である。ＥＰＧＭＭ２０８は、「エイリアス」についての第２のメタデータ・セットを消去しつつ、「ロスト」について選択された番組コンテンツセルを垂直方向及び水平方向に拡大し、「ロスト」についての第２のメタデータ・セットを表示してもよい。
【００３５】
図９はダイナミックスケーリンググリッドの画像９００を示す。フォーカスが「ロスト」からさらに左にシフトされ、番組項目「ニュース」を保有する番組コンテンツセルにシフトされていることを除いて、画像９００は画像８００と同じである。前述の例のように、ＥＰＧＭＭ２０８は、「ロスト」についての第２のメタデータ・セットを消去しつつ、「ニュース」について選択された番組コンテンツセルを水平方向に拡大し、「ニュース」についての第２のメタデータ・セットを表示してもよい。この場合、番組コンテンツセル「ニュース」についての最初のセルサイズが別のコンテンツセルと比較して比較的狭いならば、拡大はより著しい。よって、ＥＰＧＭＭ２０８は、より大きい拡大を行い、番組項目「ニュース」に付随した第２のメタデータ・セットを表示する。
【００３６】
ＥＰＧＭＭ２０８がコンテンツセルを水平方向に調整するときに、ＥＰＧＭＭ２０８はダイナミックスケーリンググリッドの上方に表示された時間識別子についての位置を調整してもよい。しかしながら、時間識別子についての位置は当該コンテンツセルの幅に比例的に相互に関係していることは必ずしも必要ではない。例えば、選択された番組コンテンツセル「ニュース」は、「７：３５−８：０５」の時間範囲を有する第２のメタデータ・セットを有している。ＥＰＧＭＭ２０８は、時間識別子８：００と８：３０との間隔によって示されているように、比例時間（例えば５分）よりも選択された番組コンテンツセルの幅を拡大している。
【００３７】
上記の実施形態の動作は、次の図面及び付随した説明を参照しつつ説明されてもよい。図面の幾つかは、論理フローを含んでいてもよい。本出願のこのような図面は特定の論理フローを含んでいてもよいが、当該論理フローは、本明細書において説明されたような通常の機能が実装され得る方法の例を単に提供しているだけである。さらに、所定の論理フローは、他に示されていない限り、示された順序で行われる必要はない。さらに、所定の論理フローは、ハードウェア要素、プロセッサにより実行されるソフトウェア要素、又はハードウェア要素とソフトウェア要素との組み合わせにより実行されてもよい。実施形態は上記の点において限定されない。
【００３８】
図１０は論理フローの典型的な実施形態を示す。図１０は論理フロー１０００を示し、例えば、当該論理フローはメディア処理デバイス１０６及び／又はＥＰＧＭＭ２０８により実行されてもよい。図１０に示したように、所定の項目を有するコンテンツセルを含む電子番組ガイドはブロック１００２において生成されてもよい。第１のメタデータ・セットの各項目は、ブロック１００４において各コンテンツセルに表示されてもよい。コンテンツセルの１つは、ブロック１００６において選択されてもよい。選択されたコンテンツセルのサイズはブロック１００８において拡大されてもよい。所定の項目についての第２のメタデータ・セットは、ブロック１０１０において拡大されたコンテンツセルに表示されてもよい。実施形態は上記の点において限定されない。
【００３９】
ある実施形態において、例えば、選択されたコンテンツセルと同じ行内の別のコンテンツセルのサイズが拡大されてもよい。第２のメタデータ・セットが別のコンテンツセルからの少なくとも１つの項目について表示されてもよい。実施形態は上記の点において限定されない。
【００４０】
ある実施形態において、例えば、拡大されたコンテンツセルに隣接するコンテンツセルの少なくとも１つのサイズが調整されてもよい。例えば、隣接するコンテンツセルのセルサイズは所定の実装のために所望されるように、拡大されるか、又は縮小されてもよい。同様に、調整されたコンテンツセルの少なくとも１つのフォントサイズが、セルサイズの調整に加えて、すなわちセルサイズの調整と共に調整されてもよい。実施形態は上記の点において限定されない。
【００４１】
ある実施形態において、例えば、拡大されたコンテンツセルのサイズは、垂直軸に沿って高さを増大するか、水平軸に沿って幅を増大するか、垂直軸方向及び水平軸方向に増大することにより拡大されてもよい。幾つかの場合において、拡大されたコンテンツセルのサイズは、表示されるべき第２のメタデータ・セットの情報量に基づいて拡大されてもよい。実施形態は上記の点において限定されない。
【００４２】
幾つかの場合において、拡大されたコンテンツセルと同じ行又は列内の全部のコンテンツセルが、同様に拡大されてもよい。この拡大がなされるならば、１つ以上の選択されていないが拡大されたコンテンツセルについての第２のメタデータ・セットが別の表示エリアを利用するように表示されてもよい。
【００４３】
多数の特定の詳細な部分が、本明細書において説明され、実施形態の完全な理解を提供している。しかしながら、実施形態は、これらの特定の詳細な部分無しに行われてもよいことは、当業者には明らかであろう。別の例では、周知の動作、要素、及び回路は、実施形態をわかりにくくしないために詳しく説明されていない。本明細書において開示された特定の構造及び機能の詳細な部分は、典型的なものであり、必ずしも実施形態の範囲を限定するとは限らない。
【００４４】
「ある実施形態」又は「所定の実施形態」という表現をする場合には、これらの表現は、当該実施形態と共に説明された特定の特徴、構造又は特性が少なくとも１つの実施形態に含まれていることを意味している。明細書における様々な場所に記載されたフレーズ「ある実施例において」は同一の実施形態を意味する必要はない。
【００４５】
幾つかの実施形態は、「結合された」及び「接続された」（及びこれらの派生語）という表現を用いて説明されてもよい。これら用語は、互いに類義語を示すように意図されていない。例えば、幾つかの実施形態は用語「接続された」を用いて説明されてもよく、この場合２つ以上の要素が直接物理的又は電気的に互いに接触していることを示している。別の例では、幾つかの実施形態は、用語「結合された」を用いて説明されてもよく、この場合２つの要素が直接物理的又は電気的に接触していることを示している。しかしながら、用語「結合された」は、２つの要素が直接接触していないが、互いに協働する又は相互に影響することを意味している。実施形態は、上記の点において限定されない。
【００４６】
幾つかの実施形態は、例えば機械可読媒体又は「もの（article）」を用いて実装されてもよく、当該機械可読媒体又は「もの」は、機械により実行された場合に、当該機械に実施形態に従う方法及び／又は動作を実行させる命令又は１組の命令を含んでいてもよい。このような機械は、例えば、適切な処理プラットフォーム、計算プラットフォーム、計算デバイス、計算デバイス、計算システム、処理システム、コンピュータ、又はプロセッサ等を含んでいてもよく、ハードウェア及び／又はソフトウェアの適切な組み合わせを用いて実装されてもよい。機械可読媒体又は「もの」は、例えば、適切な種類のメモリユニット、メモリデバイス、メモリ部、メモリ媒体、格納デバイス（記憶デバイス）、格納部（記憶部）、格納媒体（記憶媒体）、及び／又は格納ユニット（記憶ユニット）である。例えば、その具体的な例は、メモリ、取り外し可能な若しくは取り外し不可能な媒体、書き込み可能な若しくは書き込み不可能な媒体、消去可能な若しくは消去不可能な媒体、書き込み可能な若しくは書き換え可能な媒体、デジタル若しくはアナログ媒体、ハードディスク、フロッピー（登録商標）ディスク、ＣＤ−ＲＯＭ、ＣＤ−Ｒ、ＣＤ−ＲＷ、光学ディスク、磁気媒体、磁気光学媒体、取り外し可能なメモリカード若しくはディスク、様々な種類のデジタル多用途ディスク（ＤＶＤ）、テープ、又はカセット等を含んでいてもよい。
【００４７】
本発明は、構造の特徴及び／又は方法の行為に関して説明されたが、特許請求の範囲に記載された本発明の内容は上記の特定の特徴又は行為に限定される必要はない。そうではなく、上記の特定の特徴及び行為はクレームを実施する例として説明されている。
【図面の簡単な説明】
【００４８】
【図１】メディアシステムの典型的な実施形態の図である。
【図２】メディア処理デバイスの典型的な実施形態の図である。
【図３】ダイナミックスケーリンググリッドの第１の画像の実施形態の図である。
【図４】ダイナミックスケーリンググリッドの第２の画像の実施形態の図である。
【図５】ダイナミックスケーリンググリッドの第３の画像の実施形態の図である。
【図６】ダイナミックスケーリンググリッドの第４の画像の実施形態の図である。
【図７】ダイナミックスケーリンググリッドの第５の画像の実施形態の図である。
【図８】ダイナミックスケーリンググリッドの第６の画像の実施形態の図である。
【図９】ダイナミックスケーリンググリッドの第７の画像の実施形態の図である。
【図１０】論理フローの典型的な実施形態の図である。
【図１】
2009542158.tif 000003
【図２】
2009542158.tif 000004
【図３】
2009542158.tif 000005
【図４】
2009542158.tif 000006
【図５】
2009542158.tif 000007
【図６】
2009542158.tif 000008
【図７】
2009542158.tif 000009
【図８】
2009542158.tif 000010
【図９】
2009542158.tif 000011
【図１０】
2009542158.tif 000012
【国際調査報告】
2009542158.tif 000013
2009542158.tif 000014